(57)【要約】      （修正有）【課題】画像解像度を犠牲とすることなくより高い画像感度を実現できるイメージセンサーを提供する。【解決手段】イメージセンサーのカラーフィルターアレイ上のカラー画素の画素情報を補正する方法であって、Ｍ×Ｍ距離係数表を確立する工程と、カラーフィルターアレイのＭ×Ｍ画素を選択する工程と、選択されたＭ×Ｍ画素における赤色／緑色／青色画素からターゲット画素への赤色／緑色／青色の寄与度を計算する工程と、ターゲット画素の赤色／青色／緑色画素性能を計算する工程と、赤色／青色／緑色補正係数を計算する工程と、赤色／緑色／青色補正係数を赤色／緑色／青色画素のそれぞれの測定された画素情報に適用することにより、赤色／緑色／青色画素のそれぞれの補正された画素情報を得る。【選択図】図３
2014131256.tif 000002
【特許請求の範囲】
【請求項１】
イメージセンサーのカラーフィルターアレイ上のカラー画素の画素情報を補正する方法であって、前記カラーフィルターアレイは複数の画素アレイを含み、各画素アレイは４個の（４）Ｎ×Ｎ画素ユニットからなり、Ｎは２以上の整数であり、各Ｎ×Ｎ画素ユニットは複数の白色画素および少なくとも１個のカラー画素を有し、前記少なくとも１個のカラー画素には１個以上の赤色画素、１個以上の緑色画素、１個以上の青色画素、またはこれらの任意の組み合わせが含まれ、前記４個の（４）Ｎ×Ｎ画素ユニットのそれぞれにおける前記少なくとも１個のカラー画素の数は同じであり、前記４個の（４）Ｎ×Ｎ画素ユニットのそれぞれにおける前記少なくとも１個のカラー画素の数は前記４個の（４）Ｎ×Ｎ画素ユニットのそれぞれにおける前記複数の白色画素の数よりも小さく、前記方法が、  
Ｍ×Ｍ距離係数（ｄｆｉｊ）を有するＭ×Ｍ距離係数表を確立する工程と、
前記カラーフィルターアレイのＭ×Ｍ画素を選択する工程であって、前記カラーフィルターアレイの前記Ｍ×Ｍ画素は少なくとも２個の赤色画素、少なくとも２個の緑色画素、少なくとも２個の青色画素、およびターゲット画素をカバーし、かつ前記ターゲット画素は前記カラーフィルターアレイの前記Ｍ×Ｍ画素の中心の画素である、前記カラーフィルターアレイのＭ×Ｍ画素を選択する工程と、
前記カラーフィルターアレイの前記Ｍ×Ｍ画素における前記少なくとも２個の赤色画素から前記ターゲット画素への赤色の寄与度（Ｒａｖｅｒａｇｅ）を、前記Ｍ×Ｍ距離係数表の前記距離係数および前記少なくとも２個の赤色画素のそれぞれの測定された画素情報（Ｒｉｊ）を用いて計算する工程と、  
前記カラーフィルターアレイの前記Ｍ×Ｍ画素における前記少なくとも２個の緑色画素から前記ターゲット画素への緑色の寄与度（Ｇａｖｅｒａｇｅ）を、前記Ｍ×Ｍ距離係数表の前記距離係数および前記少なくとも２個の緑色画素のそれぞれの測定された画素情報（Ｇｉｊ）を用いて計算する工程と、
前記カラーフィルターアレイの前記Ｍ×Ｍ画素における前記少なくとも２個の青色画素から前記ターゲット画素への青色の寄与度（Ｂａｖｅｒａｇｅ）を、前記Ｍ×Ｍ距離係数表の前記距離係数および前記少なくとも２個の青色画素のそれぞれの測定された画素情報（Ｂｉｊ）を用いて計算する工程と、
前記ターゲット画素の赤色画素性能（ｆＲｉｊ）、前記ターゲット画素の緑色画素性能（ｆＧｉｊ）および前記ターゲット画素の青色画素性能（ｆＢｉｊ）のうちの少なくとも１個を、前記赤色の寄与度（Ｒａｖｅｒａｇｅ）、前記緑色の寄与度（Ｇａｖｅｒａｇｅ）および前記青色の寄与度（Ｂａｖｅｒａｇｅ）、ならびに前記ターゲット画素の測定された画素情報（Ｗ）に基づいて計算する工程と、
前記赤色画素性能（ｆＲｉｊ）の前記赤色の寄与度（Ｒａｖｅｒａｇｅ）に対する比である赤色補正係数（ＴＲ）、前記緑色画素性能（ｆＧｉｊ）の前記緑色の寄与度（Ｇａｖｅｒａｇｅ）に対する比である緑色補正係数（ＴＧ）、および前記青色画素性能（ｆＢｉｊ）の前記青色の寄与度（Ｂａｖｅｒａｇｅ）に対する比である青色補正係数（ＴＢ）のうちの少なくとも１個を計算する工程と、
前記赤色補正係数（ＴＲ）を前記少なくとも２個の赤色画素のそれぞれの前記測定された画素情報（Ｒｉｊ）に適用することにより前記少なくとも２個の赤色画素のそれぞれの補正された画素情報（Ｒｆｉｎａｌ）を得ること、前記緑色補正係数（ＴＧ）を前記少なくとも２個の緑色画素のそれぞれの前記測定された画素情報（Ｇｉｊ）に適用することにより前記少なくとも２個の緑色画素のそれぞれの補正された画素情報（Ｇｆｉｎａｌ）を得ること、および前記青色補正係数（ＴＢ）を前記少なくとも２個の青色画素のそれぞれの前記測定された画素情報（Ｂｉｊ）に適用することにより前記少なくとも２個の青色画素のそれぞれの補正された画素情報（Ｂｆｉｎａｌ）を得ること、のうち少なくとも１つを実行する工程と、
を含むことを特徴とするイメージセンサーのカラーフィルターアレイ上のカラー画素の画素情報を補正する方法。
【請求項２】
前記少なくとも２個の赤色画素から前記ターゲット画素への前記赤色の寄与度（Ｒａｖｅｒａｇｅ）を計算する前記工程が、
（ａ）前記Ｍ×Ｍ距離係数表を前記カラーフィルターアレイの第２のＭ×Ｍ画素に割り当てる工程であって、前記少なくとも２個の赤色画素のうちの１個は前記Ｍ×Ｍ距離係数表の中心に位置する中心距離係数に対応し、かつ前記ターゲット画素は、前記少なくとも２個の赤色画素のうちの前記１個に対する前記ターゲット画素の相対的な位置に基づいて前記Ｍ×Ｍ距離係数表における距離係数に対応する、前記Ｍ×Ｍ距離係数表を前記カラーフィルターアレイの第２のＭ×Ｍ画素に割り当てる工程と、
（ｂ）前記少なくとも２個の赤色画素のうちの前記１個の前記測定された画素情報（Ｒｉｊ）に前記ターゲット画素に対応する前記距離係数を乗じる工程と、
前記少なくとも２個の赤色画素のそれぞれに対して前記工程（ａ）および（ｂ）を繰り返す工程と、
前記少なくとも２個の赤色画素から前記ターゲット画素への前記赤色の寄与度（Ｒａｖｅｒａｇｅ）をＡのＢに対する比として計算する工程であって、ここでＡは前記少なくとも２個の赤色画素のそれぞれに対する前記工程（ｂ）の合計であり、Ｂは繰り返された前記工程（ａ）のそれぞれにおける前記ターゲット画素の前記距離係数（ｄｆｉｊ）の合計である、前記少なくとも２個の赤色画素から前記ターゲット画素への前記赤色の寄与度（Ｒａｖｅｒａｇｅ）をＡのＢに対する比として計算する工程と、
を含み、
前記中心距離係数が前記Ｍ×Ｍ距離係数表中の前記距離係数のうちで最も高い値を有し、かつ前記Ｍ×Ｍ距離係数表における距離係数が前記中心距離係数からより遠くに位置するほど、前記Ｍ×Ｍ距離係数表におけるその距離係数の値はより低くなることを特徴とする請求項１に記載のイメージセンサーのカラーフィルターアレイ上のカラー画素の画素情報を補正する方法。
【請求項３】
前記少なくとも２個の赤色画素から前記ターゲット画素への前記赤色の寄与度（Ｒａｖｅｒａｇｅ）を計算する前記工程が、
（ａ）前記Ｍ×Ｍ距離係数表を前記カラーフィルターアレイの前記Ｍ×Ｍ画素に割り当てる工程であって、前記ターゲット画素は前記Ｍ×Ｍ距離係数表の中心に位置する中心距離係数に対応し、かつ前記少なくとも２個の赤色画素は、前記ターゲット画素に対する前記少なくとも２個の赤色画素の相対的な位置に基づいて前記Ｍ×Ｍ距離係数表中の２個の距離係数にそれぞれ対応する、前記Ｍ×Ｍ距離係数表を前記カラーフィルターアレイの前記Ｍ×Ｍ画素に割り当てる工程と、
（ｂ）前記少なくとも２個の赤色画素のそれぞれの前記測定された画素情報（Ｒｉｊ）に前記Ｍ×Ｍ距離係数表中の前記２個の距離係数のうちの対応する１個を乗じる工程と、
前記少なくとも２個の赤色画素から前記ターゲット画素への前記赤色の寄与度（Ｒａｖｅｒａｇｅ）をＡのＢに対する比として計算する工程であって、ここでＡは前記少なくとも２個の赤色画素のそれぞれに対する前記工程（ｂ）の合計であり、Ｂは前記少なくとも２個の赤色画素のそれぞれの前記距離係数（ｄｆｉｊ）の合計である、前記少なくとも２個の赤色画素から前記ターゲット画素への前記赤色の寄与度（Ｒａｖｅｒａｇｅ）をＡのＢに対する比として計算する工程と、
を含み、
前記中心距離係数が前記Ｍ×Ｍ距離係数表中の前記距離係数のうちで最も高い値を有し、かつ前記Ｍ×Ｍ距離係数表における距離係数が前記中心距離係数からより遠くに位置するほど、前記Ｍ×Ｍ距離係数表におけるその距離係数の値はより低くなることを特徴とする請求項１に記載のイメージセンサーのカラーフィルターアレイ上のカラー画素の画素情報を補正する方法。
【請求項４】
前記少なくとも２個の緑色画素から前記ターゲット画素への前記緑色の寄与度（Ｇａｖｅｒａｇｅ）を計算する前記工程が、
（ａ）前記Ｍ×Ｍ距離係数表を前記カラーフィルターアレイの第２のＭ×Ｍ画素に割り当てる工程であって、前記少なくとも２個の緑色画素のうちの１個は前記Ｍ×Ｍ距離係数表の中心に位置する中心距離係数に対応し、かつ前記ターゲット画素は、前記少なくとも２個の緑色画素のうちの前記１個に対する前記ターゲット画素の相対的な位置に基づいて前記Ｍ×Ｍ距離係数表における距離係数に対応する、前記Ｍ×Ｍ距離係数表を前記カラーフィルターアレイの第２のＭ×Ｍ画素に割り当てる工程と、  
（ｂ）前記少なくとも２個の緑色画素のうちの前記１個の前記測定された画素情報（Ｇｉｊ）に前記ターゲット画素に対応する前記距離係数を乗じる工程と、
前記少なくとも２個の緑色画素のそれぞれに対して前記工程（ａ）および（ｂ）を繰り返す工程と、
前記少なくとも２個の緑色画素から前記ターゲット画素への前記緑色の寄与度（Ｇａｖｅｒａｇｅ）をＡのＢに対する比として計算する工程であって、ここでＡは前記少なくとも２個の緑色画素のそれぞれに対する前記工程（ｂ）の合計であり、Ｂは繰り返された前記工程（ａ）のそれぞれにおける前記ターゲット画素の前記距離係数（ｄｆｉｊ）の合計である、前記少なくとも２個の緑色画素から前記ターゲット画素への前記緑色の寄与度（Ｇａｖｅｒａｇｅ）をＡのＢに対する比として計算する工程と、
を含み、
前記中心距離係数が前記Ｍ×Ｍ距離係数表中の前記距離係数のうちで最も高い値を有し、かつ前記Ｍ×Ｍ距離係数表における距離係数が前記中心距離係数からより遠くに位置するほど、前記Ｍ×Ｍ距離係数表におけるその距離係数の値はより低くなることを特徴とする請求項１に記載のイメージセンサーのカラーフィルターアレイ上のカラー画素の画素情報を補正する方法。
【請求項５】
前記少なくとも２個の緑色画素から前記ターゲット画素への前記緑色の寄与度（Ｇａｖｅｒａｇｅ）を計算する前記工程が、
（ａ）前記Ｍ×Ｍ距離係数表を前記カラーフィルターアレイの前記Ｍ×Ｍ画素に割り当てる工程であって、前記ターゲット画素は前記Ｍ×Ｍ距離係数表の中心に位置する中心距離係数に対応し、かつ前記少なくとも２個の緑色画素は、前記ターゲット画素に対する前記少なくとも２個の緑色画素の相対的な位置に基づいて前記Ｍ×Ｍ距離係数表中の２個の距離係数にそれぞれ対応する、前記Ｍ×Ｍ距離係数表を前記カラーフィルターアレイの前記Ｍ×Ｍ画素に割り当てる工程と、
（ｂ）前記少なくとも２個の緑色画素のそれぞれの前記測定された画素情報（Ｇｉｊ）に前記Ｍ×Ｍ距離係数表中の前記２個の距離係数のうちの対応する１個を乗じる工程と、
前記少なくとも２個の緑色画素から前記ターゲット画素への前記緑色の寄与度（Ｇａｖｅｒａｇｅ）をＡのＢに対する比として計算する工程であって、ここでＡは前記少なくとも２個の緑色画素のそれぞれに対する前記工程（ｂ）の合計であり、Ｂは前記少なくとも２個の緑色画素のそれぞれの前記距離係数（ｄｆｉｊ）の合計である、前記少なくとも２個の緑色画素から前記ターゲット画素への前記緑色の寄与度（Ｇａｖｅｒａｇｅ）をＡのＢに対する比として計算する工程と、
を含み、
前記中心距離係数が前記Ｍ×Ｍ距離係数表中の前記距離係数のうちで最も高い値を有し、かつ前記Ｍ×Ｍ距離係数表における距離係数が前記中心距離係数からより遠くに位置するほど、前記Ｍ×Ｍ距離係数表におけるその距離係数の値はより低くなることを特徴とする請求項１に記載のイメージセンサーのカラーフィルターアレイ上のカラー画素の画素情報を補正する方法。
【請求項６】
前記少なくとも２個の青色画素から前記ターゲット画素への前記青色の寄与度（Ｂａｖｅｒａｇｅ）を計算する前記工程が、
（ａ）前記Ｍ×Ｍ距離係数表を前記カラーフィルターアレイの第２のＭ×Ｍ画素に割り当てる工程であって、前記少なくとも２個の青色画素のうちの１個は前記Ｍ×Ｍ距離係数表の中心に位置する中心距離係数に対応し、かつ前記ターゲット画素は、前記少なくとも２個の青色画素のうちの前記１個に対する前記ターゲット画素の相対的な位置に基づいて前記Ｍ×Ｍ距離係数表における距離係数に対応する、前記Ｍ×Ｍ距離係数表を前記カラーフィルターアレイの第２のＭ×Ｍ画素に割り当てる工程と、
（ｂ）前記少なくとも２個の青色画素のうちの前記１個の前記測定された画素情報 (Ｂｉｊ) に前記ターゲット画素に対応する前記距離係数を乗じる工程と、
前記少なくとも２個の青色画素のそれぞれに対して前記工程（ａ）および（ｂ）を繰り返す工程と、
前記少なくとも２個の青色画素から前記ターゲット画素への前記青色の寄与度（Ｂａｖｅｒａｇｅ）をＡのＢに対する比として計算する工程であって、ここでＡは前記少なくとも２個の青色画素のそれぞれに対する前記工程（ｂ）の合計であり、Ｂは繰り返された前記工程（ａ）のそれぞれにおける前記ターゲット画素の前記距離係数（ｄｆｉｊ）の合計である、前記少なくとも２個の青色画素から前記ターゲット画素への前記青色の寄与度（Ｂａｖｅｒａｇｅ）をＡのＢに対する比として計算する工程と、
を含み、
前記中心距離係数が前記Ｍ×Ｍ距離係数表中の前記距離係数のうちで最も高い値を有し、かつ前記Ｍ×Ｍ距離係数表における距離係数が前記中心距離係数からより遠くに位置するほど、前記Ｍ×Ｍ距離係数表におけるその距離係数の値はより低くなることを特徴とする請求項１に記載のイメージセンサーのカラーフィルターアレイ上のカラー画素の画素情報を補正する方法。
【請求項７】
前記少なくとも２個の青色画素から前記ターゲット画素への前記青色の寄与度（Ｂａｖｅｒａｇｅ）を計算する前記工程が、
（ａ）前記Ｍ×Ｍ距離係数表を前記カラーフィルターアレイの前記Ｍ×Ｍ画素に割り当てる工程であって、前記ターゲット画素は前記Ｍ×Ｍ距離係数表の中心に位置する中心距離係数に対応し、かつ前記少なくとも２個の青色画素は、前記ターゲット画素に対する前記少なくとも２個の青色画素の相対的な位置に基づいて前記Ｍ×Ｍ距離係数表中の２個の距離係数にそれぞれ対応する、前記Ｍ×Ｍ距離係数表を前記カラーフィルターアレイの前記Ｍ×Ｍ画素に割り当てる工程と、
（ｂ）前記少なくとも２個の青色画素のそれぞれの前記測定された画素情報（Ｂｉｊ）に前記Ｍ×Ｍ距離係数表中の前記２個の距離係数のうちの対応する１個を乗じる工程と、
前記少なくとも２個の青色画素から前記ターゲット画素への前記青色の寄与度（Ｂａｖｅｒａｇｅ）をＡのＢに対する比として計算する工程であって、ここでＡは前記少なくとも２個の青色画素のそれぞれに対する前記工程（ｂ）の合計であり、Ｂは前記少なくとも２個の青色画素のそれぞれの前記距離係数（ｄｆｉｊ）の合計である、前記少なくとも２個の青色画素から前記ターゲット画素への前記青色の寄与度（Ｂａｖｅｒａｇｅ）をＡのＢに対する比として計算する工程と、
を含み、
前記中心距離係数が前記Ｍ×Ｍ距離係数表中の前記距離係数のうちで最も高い値を有し、かつ前記Ｍ×Ｍ距離係数表における距離係数が前記中心距離係数からより遠くに位置するほど、前記Ｍ×Ｍ距離係数表におけるその距離係数の値はより低くなることを特徴とする請求項１に記載のイメージセンサーのカラーフィルターアレイ上のカラー画素の画素情報を補正する方法。
【請求項８】
前記ターゲット画素の前記赤色画素性能（ｆＲｉｊ）がｆＲｉｊ＝Ｗ・Ｒａｖｅｒａｇｅ／（Ｒａｖｅｒａｇｅ＋Ｇａｖｅｒａｇｅ＋Ｂａｖｅｒａｇｅ）であり、前記ターゲット画素の前記緑色画素性能（ｆＧｉｊ）がｆＧｉｊ＝Ｗ・Ｇａｖｅｒａｇｅ／（Ｒａｖｅｒａｇｅ＋Ｇａｖｅｒａｇｅ＋Ｂａｖｅｒａｇｅ）であり、前記ターゲット画素の前記青色画素性能（ｆＢｉｊ）がｆＢｉｊ＝Ｗ・Ｂａｖｅｒａｇｅ／（Ｒａｖｅｒａｇｅ＋Ｇａｖｅｒａｇｅ＋Ｂａｖｅｒａｇｅ）であることを特徴とする請求項１に記載のイメージセンサーのカラーフィルターアレイ上のカラー画素の画素情報を補正する方法。
【請求項９】
前記少なくとも２個の赤色画素のそれぞれの前記補正された画素情報（Ｒｆｉｎａｌ）が、前記少なくとも２個の赤色画素のそれぞれの前記測定された画素情報（Ｒｉｊ）と前記赤色補正係数（ＴＲ）との乗算（multiplication）であることを特徴とする請求項１に記載のイメージセンサーのカラーフィルターアレイ上のカラー画素の画素情報を補正する方法。
【請求項１０】
前記少なくとも２個の緑色画素のそれぞれの前記補正された画素情報（Ｇｆｉｎａｌ）が、前記少なくとも２個の緑色画素のそれぞれの前記測定された画素情報（Ｇｉｊ）と前記緑色補正係数（ＴＧ）との乗算であり、前記少なくとも２個の青色画素のそれぞれの前記補正された画素情報（Ｂｆｉｎａｌ）が、前記少なくとも２個の青色画素のそれぞれの前記測定された画素情報（Ｂｉｊ）と前記青色補正係数（ＴＢ）との乗算であることを特徴とする請求項１に記載のイメージセンサーのカラーフィルターアレイ上のカラー画素の画素情報を補正する方法。
【発明の詳細な説明】
【技術分野】
【０００１】
本発明はイメージセンサーのカラーフィルターアレイに関し、より詳細にはイメージセンサーのカラーフィルターアレイ上のカラー画素の画素情報を補正する方法に関する。 
【背景技術】
【０００２】
ＣＭＯＳイメージセンサー（ＣＩＳ）は、デジタル写真撮影機器において電子フィルムの役目を果たす撮像素子（imaging
device）である。ＣＩＳは、デジタルカメラ、カメラ付き携帯電話、ウェブカメラ、ノートブックセキュリティデバイス、自動車、および医療の用途で用いられる小型撮像デバイスを含む幅広い分野で利用されている。画像感知（image
sensing）の質を高めるためには、ＣＩＳに広いダイナミックレンジおよび高感度を与えることが必要である。
【０００３】
ＣＩＳはカラーフィルターアレイ、マイクロレンズアレイおよび画素センサー（例えばフォトダイオード）を含む。カラーフィルターアレイは、イメージセンサーの画素センサー上方に配置されてカラー情報を取り込む小さなカラーフィルターのモザイク（mosaic）である。ベイヤーフィルター（Bayer
filter）アレイは、フォトダイオードの正方格子上にＲＧＢ（赤、緑、青）カラーフィルターを配置させる標準的なカラーフィルターアレイである。
【０００４】
ＣＩＳの画像感度（image sensibility）を高めるため、ＷＲＧＢ（白、赤、緑、青）配列を有する複数の可能なカラーフィルターアレイが提案されている。例えば、Ｔｏｓｈｉｂａは、複数の画素アレイを有する１／４ＷＲＧＢカラーフィルターアレイを提案した。図１Ａに示されるように、各画素アレイは４個の（４）２×２画素ユニットからなり、各２×２画素ユニットは１個の（１）白色画素、１個の（１）赤色画素、１個の（１）緑色画素および１個の（１）青色画素を有している。
【０００５】
ＴＳＢが１／４ＷＲＧＢカラーフィルターアレイを提案した後、Ｅａｓｔｍａｎ  Ｋｏｄａｋ社は、複数の画素アレイを有する２／４ＷＲＧＢカラーフィルターアレイを提案した。図１Ｂに示されるように、各画素アレイは４個の（４）２×２画素ユニットからなり、各２×２画素ユニットは２個の（２）白色画素および２個の（２）同じ色のカラー画素を有している。
【０００６】
１／４ＷＲＧＢカラーフィルターアレイは、カラーフィルターアレイの各画素ユニット中に１個の（１）白色画素を有するため、１／４ＷＲＧＢカラーフィルターアレイの画像感度は標準的なベイヤーフィルターアレイよりも高い。同じように、２／４ＷＲＧＢカラーフィルターアレイは、カラーフィルターアレイの各画素ユニット中に２個の（２）白色画素を有するため、２／４ＷＲＧＢカラーフィルターアレイの画像感度は、標準的なベイヤーフィルターアレイおよび１／４ＷＲＧＢカラーフィルターアレイよりも高い。しかしながら、２／４ＷＲＧＢカラーフィルターアレイ中の白色画素の数が増加したために、２／４ＷＲＧＢカラーフィルターアレイを有するＣＩＳの画像解像度が低下することにもなる。よって、カラーフィルターアレイにおける白色画素の数が多くなるほど、ＣＩＳの画像感度は高まり、またＣＩＳの画像解像度は低くなる。
【発明の概要】
【発明が解決しようとする課題】
【０００７】
以上を考慮すると、その画像解像度を犠牲とすることなくより高い画像感度を実現できるイメージセンサーを如何にして提供するのかが、重要な問題となる。
【課題を解決するための手段】
【０００８】
上述した目的を達成するため、イメージセンサーのカラーフィルターアレイ上のカラー画素の画素情報を補正する方法を提供する。カラーフィルターアレイは複数の画素アレイを含む。各画素アレイは４個の（４）Ｎ×Ｎ画素ユニットからなり、Ｎは２以上の整数であり、各Ｎ×Ｎ画素ユニットは複数の白色画素および少なくとも１個のカラー画素を有し、少なくとも１個のカラー画素は１個以上の赤色画素、１個以上の緑色画素、１個以上の青色画素、またはこれらの任意の組み合わせを含み、４個の（４）Ｎ×Ｎ画素ユニットのそれぞれにおける少なくとも１個のカラー画素の数は同じであり、かつ４個の（４）Ｎ×Ｎ画素ユニットのそれぞれにおける少なくとも１個のカラー画素の数は、４個の（４）Ｎ×Ｎ画素ユニットのそれぞれにおける複数の白色画素の数よりも小さい。当該方法は、Ｍ×Ｍ距離係数（ｄｆｉｊ）を有するＭ×Ｍ距離係数表を確立する工程と、カラーフィルターアレイのＭ×Ｍ画素を選択する工程であって、カラーフィルターアレイのＭ×Ｍ画素は少なくとも２個の赤色画素、少なくとも２個の緑色画素、少なくとも２個の青色画素、およびターゲット画素をカバーするもので、かつターゲット画素はカラーフィルターアレイのＭ×Ｍ画素の中心の画素である、カラーフィルターアレイのＭ×Ｍ画素を選択する工程と、カラーフィルターアレイのＭ×Ｍ画素における少なくとも２個の赤色画素からターゲット画素への赤色の寄与度（Ｒａｖｅｒａｇｅ）を、Ｍ×Ｍ距離係数表の距離係数および少なくとも２個の赤色画素のそれぞれの測定された画素情報（Ｒｉｊ）を用いて計算する工程と、カラーフィルターアレイのＭ×Ｍ画素における少なくとも２個の緑色画素からターゲット画素への緑色の寄与度（Ｇａｖｅｒａｇｅ）を、Ｍ×Ｍ距離係数表の距離係数および少なくとも２個の緑色画素のそれぞれの測定された画素情報（Ｇｉｊ）を用いて計算する工程と、カラーフィルターアレイのＭ×Ｍ画素における少なくとも２個の青色画素からターゲット画素への青色の寄与度（Ｂａｖｅｒａｇｅ）を、Ｍ×Ｍ距離係数表の距離係数および少なくとも２個の青色画素のそれぞれの測定された画素情報（Ｂｉｊ）を用いて計算する工程と、ターゲット画素の赤色画素性能（ｆＲｉｊ）、ターゲット画素の緑色画素性能（ｆＧｉｊ）およびターゲット画素の青色画素性能（ｆＢｉｊ）のうちの少なくとも１個を、赤色の寄与度（Ｒａｖｅｒａｇｅ）、緑色の寄与度（Ｇａｖｅｒａｇｅ）および青色の寄与度（Ｂａｖｅｒａｇｅ）、ならびにターゲット画素の測定された画素情報（Ｗ）に基づいて計算する工程と、赤色画素性能（ｆＲｉｊ）の赤色の寄与度（Ｒａｖｅｒａｇｅ）に対する比である赤色補正係数（ＴＲ）、緑色画素性能（ｆＧｉｊ）の緑色の寄与度（Ｇａｖｅｒａｇｅ）に対する比である緑色補正係数（ＴＧ）、および青色画素性能（ｆＢｉｊ）の青色の寄与度（Ｂａｖｅｒａｇｅ）に対する比である青色補正係数（ＴＢ）のうちの少なくとも１個を計算する工程と、赤色補正係数（ＴＲ）を少なくとも２個の赤色画素のそれぞれの測定された画素情報（Ｒｉｊ）に適用することにより少なくとも２個の赤色画素のそれぞれの補正された画素情報（Ｒｆｉｎａｌ）を得ること、緑色補正係数（ＴＧ）を少なくとも��個の緑色画素のそれぞれの測定された画素情報（Ｇｉｊ）に適用することにより少なくとも２個の緑色画素のそれぞれの補正された画素情報（Ｇｆｉｎａｌ）を得ること、および青色補正係数（ＴＢ）を少なくとも２個の青色画素のそれぞれの測定された画素情報（Ｂｉｊ）に適用することにより少なくとも２個の青色画素のそれぞれの補正された画素情報（Ｂｆｉｎａｌ）を得ること、のうち少なくとも１つを実行する工程と、を含む。
【０００９】
本発明のさらなる利用可能性の範囲は、以下に記載される詳細な説明から明らかとなるであろう。しかしながら、この詳細な記載から当業者には本発明の精神および範囲内における様々な変更および修飾が明らかとなるであろうことより、本発明の好ましい実施形態を示すが、詳細な説明および特定の例は単に説明の目的で記載されるに過ぎないということが理解されなければならない。
【発明の効果】
【００１０】
本発明によれば、画像解像度を犠牲にすることなく、より高い画像感度を実現するイメージセンサーを提供することができる。
【図面の簡単な説明】
【００１１】
後述の詳細な説明、および説明のためのみに示され、故に本発明を限定するのではない添付の図面から、本発明がより十分に理解されるであろう。
【図１Ａ】図１Ａは、 従来の１／４ＷＲＧＢカラーフィルターアレイの画素アレイを示している。
【図１Ｂ】図１Ｂは、従来の２／４ＷＲＧＢカラーフィルターアレイの画素アレイを示している。
【図２】図２は、本発明の実施形態による数個の３／４ＷＲＧＢカラーフィルターアレイの画素アレイを示している。
【図３】図３は、本発明の１実施形態によるイメージセンサーのカラーフィルターアレイ上のカラー画素の画素情報を補正する工程を示すフローチャートである。
【図４】図４は、本発明の１実施形態による３／４ＷＲＧＢカラーフィルターアレイに用いる７×７距離係数表である。
【図５】図５Ａ〜５Ｃは、本発明の１実施形態によるカラーフィルターアレイの選択された７×７画素の領域を有する３／４ＷＲＧＢカラーフィルターアレイを示している。
【図６】図６Ａ〜６Ｐは、本発明の１実施形態により、３／４ＷＲＧＢカラーフィルターアレイにおける赤色の寄与度（Ｒａｖｅｒａｇｅ）、緑色の寄与度（Ｇａｖｅｒａｇｅ）および青色の寄与度（Ｂａｖｅｒａｇｅ）がどのように計算されるかを示している。
【図７】図７Ａ〜７Ｃは、本発明の別の実施形態により、３／４ＷＲＧＢカラーフィルターアレイにおける赤色の寄与度（Ｒａｖｅｒａｇｅ）、緑色の寄与度（Ｇａｖｅｒａｇｅ）および青色の寄与度（Ｂａｖｅｒａｇｅ）がどのように計算されるかを示している。
【発明を実施するための形態】
【００１２】
以下に、添付の図面を参照して本発明を詳細に説明する。これら図面において、いくつかの図を通し、同じ参照数字が同じまたは類似の要素を特定するのに用いられる。図面は、参照数字の向きの方向で見る必要があるという点に注意すべきである。
【００１３】
本発明において具体化されるように、イメージセンサーのカラーフィルターアレイは複数の画素アレイを含む。各画素アレイは４個の（４）Ｎ×Ｎ画素ユニットからなり、Ｎは２以上の整数である。各Ｎ×Ｎ画素ユニットは複数の白色画素および少なくとも１個のカラー画素を有し、少なくとも１個のカラー画素には１個以上の赤色画素、１個以上の緑色画素、１個以上の青色画素、またはそれらの任意の組み合わせが含まれる。４個の（４）Ｎ×Ｎ画素ユニットのそれぞれにおける少なくとも１個のカラー画素の数は同じである。４個の（４）Ｎ×Ｎ画素ユニットのそれぞれにおける少なくとも１個のカラー画素の数は、４個の（４）Ｎ×Ｎ画素ユニットのそれぞれにおける複数の白色画素の数よりも小さい。
【００１４】
図２は、本発明の実施形態による数個の３／４ＷＲＧＢカラーフィルターアレイの画素アレイを示している。３／４ＷＲＧＢカラーフィルターアレイのそれぞれは複数の画素アレイを有している。図２に示されるように、各画素アレイは４個の（４）  ２×２画素ユニットからなり、かつ各２×２画素ユニットは、３個の（３）白色画素および１個の（１）カラー（赤色、緑色または青色）画素を有している。
【００１５】
別の実施形態において、カラーフィルターアレイは、５／９ＷＲＧＢカラーフィルターアレイ、６／９ＷＲＧＢカラーフィルターアレイ、７／９ＷＲＧＢカラーフィルターアレイ、８／９ＷＲＧＢカラーフィルターアレイなどであってよい。例えば、５／９ＷＲＧＢカラーフィルターアレイは複数の画素アレイを有していてよく、各画素アレイは４個の（４）３×３画素ユニットからなり、各３×３画素ユニットは５個の（５）白色画素および４個の（４）カラー（赤色、緑色および／または青色の組み合わせ）画素を有する。詳細に言うと、各画素アレイ（４個の（４）３×３画素ユニットからなる）は、４個の（４）赤色画素、８個の（８）緑色画素、４個の（４）青色画素および２０個の（２０）白色画素からなる。本発明は、２×２画素ユニットおよび３×３画素ユニットよりも大きいＮ×Ｎ画素ユニットを有するその他のＷＲＧＢカラーフィルターアレイにも適用できるということに留意すべきである。
【００１６】
６／９ＷＲＧＢカラーフィルターアレイは複数の画素アレイを有していてよく、各画素アレイは４個の（４）３×３画素ユニットからなり、各３×３画素ユニットは６個の（６）白色画素および３個の（３）カラー（赤色、緑色および／または青色の組み合わせ）画素を有する。詳細に言うと、各画素アレイ（４個の（４）３×３画素ユニットからなる）は、４個の（４）赤色画素、４個の（４）緑色画素、４個の（４）青色画素および２４個の（２４）白色画素からなる、または３個の（３）赤色画素、６個の（６）緑色画素、３個の（３）青色画素および２４個の（２４）白色画素からなる。
【００１７】
７／９ＷＲＧＢカラーフィルターアレイは複数の画素アレイを有していてよく、各画素アレイは４個の（４）３×３画素ユニットからなり、各３×３画素ユニットは７個の（７）白色画素および２個の（２）カラー（赤色、緑色および／または青色の組み合わせ）画素を有する。詳細に言うと、各画素アレイ（４個の（４）３×３画素ユニットからなる）は、２個の（２）赤色画素、４個の（４）緑色画素、２個の（２）青色画素および２８個の（２８）白色画素からなる。
【００１８】
８／９ＷＲＧＢカラーフィルターアレイは複数の画素アレイを有していてよく、各画素アレイは４個の（４）３×３画素ユニットからなり、各３×３画素ユニットは８個の（８）白色画素および１個の（１）カラー（赤色、緑色または青色）画素を有する。詳細に言うと、各画素アレイ（４個の（４）３×３画素ユニットからなる）は、１個の（１）赤色画素、２個の（２）緑色画素、１個の（１）青色画素および３２個の（３２）白色画素からなる。
【００１９】
すでに述べたように、カラーフィルターアレイにおける白色画素の数が多くなるほど、イメージセンサーの画像感度は高くなり、またイメージセンサーの画像解像度は低くなる。図３は、本発明の１実施形態によるイメージセンサーのカラーフィルターアレイ上のカラー画素の画素情報を補正する工程を示すフローチャートであり、これによれば、その画像解像度を犠牲とすることなくより高い画像感度を実現できるイメージセンサーが提供される。
【００２０】
図３にて具体化されるように、本発明の１実施形態によるイメージセンサーのカラーフィルターアレイ上のカラー画素の画素情報を補正する方法は、以下の工程を含む。
【００２１】
Ｍ×Ｍ距離係数（ｄｆｉｊ）を有するＭ×Ｍ距離係数表を確立する工程（工程Ｓ１）と、
【００２２】
カラーフィルターアレイのＭ×Ｍ画素を選択する工程であって、このうち、カラーフィルターアレイのＭ×Ｍ画素は、少なくとも２個の赤色画素、少なくとも２個の緑色画素、少なくとも２個の青色画素、およびターゲット画素をカバーし、かつターゲット画素はカラーフィルターアレイのＭ×Ｍ画素の中心の画素である、カラーフィルターアレイのＭ×Ｍ画素を選択する工程（工程Ｓ２）と、
【００２３】
カラーフィルターアレイのＭ×Ｍ画素における少なくとも２個の赤色画素からターゲット画素への赤色の寄与度（Ｒａｖｅｒａｇｅ）を、Ｍ×Ｍ距離係数表の距離係数および少なくとも２個の赤色画素のそれぞれの測定された画素情報（Ｒｉｊ）を用いて計算する工程（工程Ｓ３）と、
【００２４】
カラーフィルターアレイのＭ×Ｍ画素における少なくとも２個の緑色画素からターゲット画素への緑色の寄与度（Ｇａｖｅｒａｇｅ）を、Ｍ×Ｍ距離係数表の距離係数および少なくとも２個の緑色画素のそれぞれの測定された画素情報（Ｇｉｊ）を用いて計算する工程（工程Ｓ３）と、
【００２５】
カラーフィルターアレイのＭ×Ｍ画素における少なくとも２個の青色画素からターゲット画素への青色の寄与度（Ｂａｖｅｒａｇｅ）を、Ｍ×Ｍ距離係数表の距離係数および少なくとも２個の青色画素のそれぞれの測定された画素情報（Ｂｉｊ）を用いて計算する工程（工程Ｓ３）と、
【００２６】
ターゲット画素の赤色画素性能（ｆＲｉｊ）、ターゲット画素の緑色画素性能（ｆＧｉｊ）、およびターゲット画素の青色画素性能（ｆＢｉｊ）のうちの少なくとも１個を、赤色の寄与度（Ｒａｖｅｒａｇｅ）、緑色の寄与度（Ｇａｖｅｒａｇｅ）および青色の寄与度（Ｂａｖｅｒａｇｅ）、ならびにターゲット画素の測定された画素情報（Ｗ）に基づいて計算する工程（工程Ｓ４）と、
【００２７】
赤色画素性能（ｆＲｉｊ）の赤色の寄与度（Ｒａｖｅｒａｇｅ）に対する比である赤色補正係数（ＴＲ）、緑色画素性能（ｆＧｉｊ）の緑色の寄与度（Ｇａｖｅｒａｇｅ）に対する比である緑色補正係数（ＴＧ）、および青色画素性能（ｆＢｉｊ）の青色の寄与度（Ｂａｖｅｒａｇｅ）に対する比である青色補正係数（ＴＢ）のうちの少なくとも１個を計算する工程（工程Ｓ５）と、
【００２８】
赤色補正係数（ＴＲ）を少なくとも２個の赤色画素のそれぞれの測定された画素情報（Ｒｉｊ）に適用することにより、少なくとも２個の赤色画素のそれぞれの補正された画素情報（Ｒｆｉｎａｌ）を得ること、緑色補正係数（ＴＧ）を少なくとも２個の緑色画素のそれぞれの測定された画素情報（Ｇｉｊ）に適用することにより、少なくとも２個の緑色画素のそれぞれの補正された画素情報（Ｇｆｉｎａｌ）を得ること、および青色補正係数（ＴＢ）を少なくとも２個の青色画素のそれぞれの測定された画素情報（Ｂｉｊ）に適用することにより、少なくとも２個の青色画素のそれぞれの補正された画素情報（Ｂｆｉｎａｌ）を得ること、のうち少なくとも１つを実行する工程（工程Ｓ６）。
【００２９】
詳細には、図３の工程Ｓ１に示されるように、Ｍ×Ｍ距離係数を有するＭ×Ｍ距離係数表が確立される。Ｍ×Ｍ距離係数（ｄｆｉｊ）のそれぞれは、カラーフィルターアレイのＭ×Ｍ画素のうちの１個に対応している。表の第ｉ行目および第ｊ列目の交差するところに位置する距離係数ｄｆｉｊはｄｉｊ／ｄｃである。
【００３０】
図４は、本発明の１実施形態による３／４ＷＲＧＢカラーフィルターアレイに用いる７×７（Ｍ×Ｍ）距離係数表である。７×７距離係数表は７×７距離係数を有しており、７×７距離係数（ｄｆｉｊ）のそれぞれは、カラーフィルターアレイの７×７画素のうちの１個に対応する。
【００３１】
本発明の１実施形態では、中心距離（central distance）係数ｄｆｃは、Ｍ×Ｍ距離係数表中の距離係数のうちで最も高い値を有し、Ｍ×Ｍ距離係数表における距離係数が中心距離係数からより遠くに位置するほど、Ｍ×Ｍ距離係数表におけるその距離係数の値はより低くなる。
【００３２】
例えば、図４において具体化されるように、７×７距離係数表における中心距離係数ｄｆｃ（つまりｄｆ４４）は、ｄｃ／ｄｃ（つまりｄ４４／ｄ４４）＝１６／１６＝１であり、かつ距離係数ｄｆ２６＝ｄ２６／ｄｃ＝４／１６（つまり、表の第２行目と第６列目の交差するところに位置する距離係数）である。
【００３３】
近くのカラー画素がどのようにターゲット画素に寄与するかを決定するため、カラーフィルターアレイのＭ×Ｍ画素の領域が選択される。このうち、カラーフィルターアレイのＭ×Ｍ画素は、少なくとも２個の赤色画素、少なくとも２個の緑色画素、少なくとも２個の青色画素、およびターゲット画素をカバーし、ターゲット画素はカラーフィルターアレイのＭ×Ｍ画素の中心の画素である。
【００３４】
３／４ＷＲＧＢカラーフィルターアレイ（図５Ａ〜５Ｃに示されるように、複数の画素アレイを有し、各画素アレイが４個の（４）２×２画素ユニットからなり、各２×２画素ユニットが３個の（３）白色画素および１個の（１）カラー（赤色、緑色または青色）画素を有する）を例にとる。図５Ａ〜５Ｃは、カラーフィルターアレイの７×７画素の領域が選択されていることを示している（つまり、点線で囲んだ四角形）。カラーフィルターアレイの選択された７×７画素は、４個の（４）赤色画素、８個の（８）緑色画素、４個の（４）青色画素、および３３個の（３３）白色画素をカバーしている。ターゲット（白色）画素ＴＰは、カラーフィルターアレイの選択されたＭ×Ｍ画素の中心の画素である。なお、カラーフィルターアレイにおける各カラー画素は  Ｒ、Ｇ、またはＢと表示されており、表示されていない画素は全て白色画素であることに留意すべきである。
【００３５】
Ｍ×Ｍ距離係数表が確立され、かつ少なくとも２個の赤色画素、少なくとも２個の緑色画素、少なくとも２個の青色画素、およびターゲット画素をカバーするカラーフィルターアレイのＭ×Ｍ画素の領域が選択された後、カラーフィルターアレイのＭ×Ｍ画素における少なくとも２個の赤色画素からターゲット画素への赤色の寄与度（Ｒａｖｅｒａｇｅ）が、Ｍ×Ｍ距離係数表の距離係数および少なくとも２個の赤色画素のそれぞれの測定された画素情報（Ｒｉｊ）を用いて計算され、カラーフィルターアレイのＭ×Ｍ画素における少なくとも２個の緑色画素からターゲット画素への緑色の寄与度（Ｇａｖｅｒａｇｅ）が、Ｍ×Ｍ距離係数表の距離係数および少なくとも２個の緑色画素のそれぞれの測定された画素情報（Ｇｉｊ）を用いて計算され、カラーフィルターアレイのＭ×Ｍ画素における少なくとも２個の青色画素からターゲット画素への青色の寄与度（Ｂａｖｅｒａｇｅ）が、Ｍ×Ｍ距離係数表の距離係数および少なくとも２個の青色画素のそれぞれの測定された画素情報（Ｂｉｊ）を用いて計算される。
【００３６】
図５Ａにおいて具体化されるように、４個の（４）赤色画素の測定された画素情報（Ｒｉｊ）は次のとおりである。Ｒ５４＝２００ｌｕｘ、Ｒ９４＝２２０ｌｕｘ、Ｒ５８＝２１０ｌｕｘ、およびＲ９８＝２３０ｌｕｘ。また、図５Ｂにおいて具体化されるように、８個の（８）緑色画素の測定された画素情報（Ｇｉｊ）は次のとおりである。Ｇ４４＝２３５ｌｕｘ、Ｇ４８＝２３５ｌｕｘ、Ｇ５５＝２３５ｌｕｘ、Ｇ５９＝２３５ｌｕｘ、Ｇ８４＝２３５ｌｕｘ、Ｇ８８＝２１５ｌｕｘ、Ｇ９５＝２３５ｌｕｘ、およびＧ９９＝２１５ｌｕｘ。さらに、図５Ｃにおいて具体化されるように、４個の（４）青色画素の測定された画素情報（Ｂｉｊ）は次のとおりである。Ｂ４５＝２１０ｌｕｘ、Ｂ４９＝１９０ｌｕｘ、Ｂ８５＝２１０ｌｕｘ、およびＢ８９＝１９０ｌｕｘ。加えて、ターゲット画素ＴＰの測定された画素情報（ＷＴＰ）は８００ｌｕｘである。図５Ａ〜５Ｃに示されるカラー画素およびターゲット画素の測定された画素情報は単に、選択されたＭ×Ｍ画素中のカラー画素からターゲット画素への色の寄与度（color contribution）をどのように計算するのかを説明するために用いられているに過ぎず、いかなる場合も本発明の範囲を限定することはないという点に留意すべきである。また、画素情報がどのように測定されるかについて当該分野では既知であるため、画素情報がどのように測定されるかについてはさらに詳細な説明はしない。
【００３７】
本発明の１実施形態において、少なくとも２個の赤色画素からターゲット画素への赤色の寄与度（Ｒａｖｅｒａｇｅ）を計算する工程は、次の工程を含む。
【００３８】
（ａ）Ｍ×Ｍ距離係数表をカラーフィルターアレイの第２のＭ×Ｍ画素に割り当てる工程であって、このうち少なくとも２個の赤色画素のうちの１個はＭ×Ｍ距離係数表の中心に位置する中心距離係数に対応し、かつターゲット画素は、少なくとも２個の赤色画素のうちの１個に対するターゲット画素の相対的な位置に基づいてＭ×Ｍ距離係数表中の距離係数に対応する、Ｍ×Ｍ距離係数表をカラーフィルターアレイの第２のＭ×Ｍ画素に割り当てる工程、
【００３９】
（ｂ）少なくとも２個の赤色画素のうちの１個の測定された画素情報（Ｒｉｊ）にターゲット画素に対応する距離係数を乗じる工程、
【００４０】
少なくとも２個の赤色画素のそれぞれに対して工程（ａ）および（ｂ）を繰り返す工程、ならびに
【００４１】
少なくとも２個の赤色画素からターゲット画素への赤色の寄与度（Ｒａｖｅｒａｇｅ）をＡのＢに対する比として計算する工程であって、ここでＡは少なくとも２個の赤色画素のそれぞれに対する工程（ｂ）の合計であり、Ｂは繰り返された工程（ａ）のそれぞれにおけるターゲット画素の距離係数（ｄｆｉｊ）の合計である、少なくとも２個の赤色画素からターゲット画素への赤色の寄与度（Ｒａｖｅｒａｇｅ）をＡのＢに対する比として計算する工程。
【００４２】
図５Ａに示される３／４ＷＲＧＢカラーフィルターアレイを例にとり、図４に示される７×７距離係数表を適用する。図６Ａ〜６Ｄは、本発明の１実施形態により、３／４ＷＲＧＢカラーフィルターアレイの７×７画素における４個の（４）赤色画素からターゲット（白色）画素ＴＰへの赤色の寄与度（Ｒａｖｅｒａｇｅ）がどのように計算されるかを示している。
【００４３】
図６Ａに示されるように、７×７距離係数表が３／４ＷＲＧＢカラーフィルターアレイの７×７画素に割り当てられ（工程（ａ））、このうち、４個の（４）赤色画素のうちの１個（つまり図６Ａで“１６”と表示されている画素）は７×７距離係数表の中心に位置する中心距離係数（ｄｆｃ＝ｄｃ／ｄｃ＝１６／１６）に対応しており、かつターゲット画素は、４個の（４）赤色画素のうちの１個に対するターゲット画素の相対的な位置に基づいて、７×７距離係数表中の距離係数（ｄｆ１３＝ｄ１３／ｄｃ＝３／１６）に対応している。
【００４４】
次に、４個の（４）赤色画素のうちの１個（つまり図６Ａで“１６”と表示されている画素）の測定された画素情報（Ｒ９８：２３０ｌｕｘ）に、ターゲット画素に対応する距離係数（つまり、３／１６）が乗じられ（工程（ｂ））、これはＲ９８×ｄｆＴＰ＝２３０ｌｕｘ×３／１６と表すことができ、ここでｄｆＴＰはｄｆ１３である。
【００４５】
図６Ａ〜６Ｄにおいて具体化されるように、上記の工程（ａ）および（ｂ）が４個の（４）赤色画素のそれぞれについて繰り返されて、次の情報が得られる。
【００４６】
Ｒ９８×ｄｆ１３＝２３０ｌｕｘ×３／１６（図６Ａ参照）、
Ｒ９４×ｄｆ１７＝２２０ｌｕｘ×１／１６（図６Ｂ参照）、
Ｒ５４×ｄｆ５７＝２００ｌｕｘ×３／１６（図６Ｃ参照）、および
Ｒ５８×ｄｆ５３＝２１０ｌｕｘ×９／１６（図６Ｄ参照）。
【００４７】
上記の工程が４個の（４）赤色画素のそれぞれについて繰り返された後、４個の（４）赤色画素からターゲット画素ＴＰへの赤色の寄与度（Ｒａｖｅｒａｇｅ）が、ＡのＢに対する比として計算され、ここで、Ａは４個の（４）赤色画素のそれぞれに対する工程（ｂ）の合計であり、Ｂは繰り返された工程（ａ）のそれぞれにおけるターゲット画素の距離係数（ｄｆｉｊ）の合計である。よって、赤色の寄与度（Ｒａｖｅｒａｇｅ）は次のように表すことができる。
【００４８】
Ｒａｖｅｒａｇｅ＝ΣＲｉｊ×ｄｆ／Σｄｆ＝（Ｒ９８×ｄｆ１３＋Ｒ９４×ｄｆ１７＋Ｒ５４×  ｄｆ５７＋Ｒ５８×ｄｆ５３）／（ｄｆ１３＋ｄｆ１７＋ｄｆ５７＋ｄｆ５３）＝（２３０ｌｕｘ  ×３／１６＋２２０ｌｕｘ×１／１６＋２００ｌｕｘ×３／１６＋２１０ｌｕｘ×９／１６）／（３／１６＋１／１６＋３／１６＋９／１６）＝２１２．５ｌｕｘ。
【００４９】
同様に、緑色の寄与度（Ｇａｖｅｒａｇｅ）および青色の寄与度（Ｂａｖｅｒａｇｅ）が、赤色の寄与度（Ｒａｖｅｒａｇｅ）と同じ方法で計算され得る（図６Ｅ〜６Ｌおよび６Ｍ〜６Ｐを参照）。
【００５０】
図５Ａ〜５Ｃにおける測定された情報を用いると、赤色の寄与度（Ｒａｖｅｒａｇｅ）、緑色の寄与度（Ｇａｖｅｒａｇｅ）および青色の寄与度（Ｂａｖｅｒａｇｅ）はそれぞれ２１２．５ｌｕｘ、２３０ｌｕｘおよび２００ｌｕｘとなる。詳細には、Ｇａｖｅｒａｇｅ＝ΣＧｉｊ×ｄｆ／Σｄｆ＝（Ｇ４４×ｄｆ６７＋Ｇ４８×ｄｆ６３＋Ｇ５５×ｄｆ５６＋Ｇ５９×ｄｆ５２＋Ｇ８４×ｄｆ２７＋Ｇ８８×ｄｆ２３＋Ｇ９５×ｄｆ１６＋Ｇ９９×ｄｆ１２）／（ｄｆ６７＋ｄｆ６３＋ｄｆ５６＋ｄｆ５２＋ｄｆ２７＋ｄｆ２３＋ｄｆ１６＋ｄｆ１２）＝（２３５ｌｕｘ×２／１６＋２３５ｌｕｘ×６／１６＋２３５ｌｕｘ×６／１６＋２３５ｌｕｘ×６／１６＋２３５ｌｕｘ×２／１６＋２１５ｌｕｘ×６／１６＋２３５ｌｕｘ×２／１６＋２１５ｌｕｘ×２／１６）／（２／１６＋６／１６＋６／１６＋６／１６＋２／１６＋６／１６＋２／１６＋２／１６）＝２３０ｌｕｘ（図６Ｅ〜６Ｌを参照）、Ｂａｖｅｒａｇｅ＝ΣＢｉｊ×ｄｆ／Σｄｆ＝（Ｂ４５×ｄｆ６６＋Ｂ４９×ｄｆ６２＋Ｂ８５×ｄｆ２６  ＋Ｂ８９×ｄｆ２２）／（ｄｆ６６＋ｄｆ６２＋ｄｆ２６＋ｄｆ２２）＝（２１０ｌｕｘ×４／１６＋１９０ｌｕｘ×４／１６＋２１０ｌｕｘ×４／１６＋１９０ｌｕｘ×４／１６）／（４／１６＋４／１６＋４／１６＋４／１６）＝２００ｌｕｘとなる（図６Ｍ〜６Ｐを参照）。
【００５１】
本発明の別の実施形態では、少なくとも２個の赤色画素からターゲット画素への赤色の寄与度（Ｒａｖｅｒａｇｅ）を計算する工程は、次の工程を含む。
【００５２】
（ａ’）Ｍ×Ｍ距離係数表をカラーフィルターアレイのＭ×Ｍ画素に割り当てる工程であって、このうち、ターゲット画素はＭ×Ｍ距離係数表の中心に位置する中心距離係数に対応し、かつ少なくとも２個の赤色画素は、ターゲット画素に対する少なくとも２個の赤色画素の相対的な位置に基づいてＭ×Ｍ距離係数表中の２個の距離係数にそれぞれ対応する、Ｍ×Ｍ距離係数表をカラーフィルターアレイのＭ×Ｍ画素に割り当てる工程、
【００５３】
（ｂ’）少なくとも２個の赤色画素のそれぞれの測定された画素情報(Ｒｉｊ) にＭ×Ｍ距離係数表中の２個の距離係数のうちの対応する１個を乗じる工程、および
【００５４】
少なくとも２個の赤色画素からターゲット画素への赤色の寄与度（Ｒａｖｅｒａｇｅ）をＡのＢに対する比として計算する工程であって、ここでＡは少なくとも２個の赤色画素のそれぞれに対する工程（ｂ’）の合計であり、Ｂは少なくとも２個の赤色画素のそれぞれの距離係数（ｄｆｉｊ）の合計である、少なくとも２個の赤色画素からターゲット画素への赤色の寄与度（Ｒａｖｅｒａｇｅ）をＡのＢに対する比として計算する工程。
【００５５】
図５Ａ〜５Ｃに示される３／４ＷＲＧＢカラーフィルターアレイを例にとり、かつ図４に示される７×７距離係数表を適用する。図７Ａは、本発明のこの実施形態により、３／４ＷＲＧＢカラーフィルターアレイの７×７画素における４個の（４）赤色画素からターゲット（白色）画素ＴＰへの赤色の寄与度（Ｒａｖｅｒａｇｅ）がどのように計算されるかを示している。
【００５６】
図７Ａに示されるように、７×７距離係数表がカラーフィルターアレイの選択された７×７画素に割り当てられ、このうち、ターゲット画素は７×７距離係数表の中心に位置する中心距離係数に対応しており、かつ４個の（４）赤色画素は、ターゲット画素ＴＰに対する４個の（４）赤色画素の相対的な位置に基づいて、７×７距離係数表中の４個の（４）距離係数（つまり、ｄｆ７５、ｄｆ７１、ｄｆ３１、ｄｆ３５）にそれぞれ対応している。
【００５７】
次に、４個の（４）赤色画素のそれぞれの測定された画素情報（Ｒｉｊ、つまりＲ９８、Ｒ９４、Ｒ５４、Ｒ５８）に、７×７距離係数表中の４個の（４）距離係数（つまり、ｄｆ７５、ｄｆ７１、ｄｆ３１、ｄｆ３５）のうちの対応する１個が乗じられ、これによって次の情報が得られる。
【００５８】
Ｒ９８×ｄｆ７５＝２３０ｌｕｘ×３／１６、
Ｒ９４×ｄｆ７１＝２２０ｌｕｘ×１／１６、
Ｒ５４×ｄｆ３１＝２００ｌｕｘ×３／１６、および
Ｒ５８×ｄｆ３５＝２１０ｌｕｘ×９／１６。
【００５９】
次に、ＡのＢに対する比として４個の（４）赤色画素からターゲット画素ＴＰへの赤色の寄与度（Ｒａｖｅｒａｇｅ）が計算され、ここでＡは４個の（４）赤色画素のそれぞれに対する工程（ｂ’）の合計であり、Ｂは４個の（４）赤色画素のそれぞれの距離係数（ｄｆｉｊ）の合計である。よって、赤色の寄与度（Ｒａｖｅｒａｇｅ）は次のように表すことができる。
【００６０】
Ｒａｖｅｒａｇｅ＝ΣＲｉｊ×ｄｆ／Σｄｆ＝（Ｒ９８×ｄｆ７５＋Ｒ９４×ｄｆ７１＋Ｒ５４×ｄｆ３１＋Ｒ５８×ｄｆ３５）／（ｄｆ７５＋ｄｆ７１＋ｄｆ３１＋ｄｆ３５）＝（２３０ｌｕｘ×３／１６＋２２０ｌｕｘ×１／１６＋２００ｌｕｘ×３／１６＋２１０ｌｕｘ×９／１６）／（３／１６＋１／１６＋３／１６＋９／１６）＝２１２．５ｌｕｘ
【００６１】
同様に、緑色の寄与度（Ｇａｖｅｒａｇｅ）および青色の寄与度（Ｂａｖｅｒａｇｅ）が、赤色の寄与度（Ｒａｖｅｒａｇｅ）と同じ方法で計算され得る（図７Ｂおよび７Ｃを参照）。
【００６２】
図５Ａ〜５Ｃにおける測定された情報を用いると、赤色の寄与度（Ｒａｖｅｒａｇｅ）、緑色の寄与度（Ｇａｖｅｒａｇｅ）および青色の寄与度（Ｂａｖｅｒａｇｅ）はそれぞれ２１２．５ｌｕｘ、２３０ｌｕｘおよび２００ｌｕｘとなる。詳細には、Ｇａｖｅｒａｇｅ  ＝ΣＧｉｊ×ｄｆ／Σｄｆ＝（Ｇ４４×ｄｆ２１＋Ｇ４８×ｄｆ２５＋Ｇ５５×ｄｆ３２＋Ｇ５９  ×ｄｆ３６＋Ｇ８４×ｄｆ６１＋Ｇ８８×ｄｆ６５＋Ｇ９５×ｄｆ７２＋Ｇ９９×ｄｆ７６）／（ｄｆ２１＋ｄｆ２５＋ｄｆ３２＋ｄｆ３６＋ｄｆ６１＋ｄｆ６５＋ｄｆ７２＋ｄｆ７６）＝（２３５ｌｕｘ×２／１６＋２３５ｌｕｘ×６／１６＋２３５ｌｕｘ×６／１６＋２３５ｌｕｘ  ×６／１６＋２３５ｌｕｘ×２／１６＋２１５ｌｕｘ×６／１６＋２３５ｌｕｘ  ×２／１６＋２１５ｌｕｘ×２／１６）／（２／１６＋６／１６＋６／１６＋６／１６＋２／１６＋６／１６＋２／１６＋２／１６）＝２３０ｌｕｘ（図７Ｂを参照）、Ｂａｖｅｒａｇｅ＝ΣＢｉｊ×ｄｆ／Σｄｆ＝（Ｂ４５×ｄｆ２２＋Ｂ４９×ｄｆ２６＋Ｂ８５×ｄｆ６２＋  Ｂ８９×ｄｆ６６）／（ｄｆ２２＋ｄｆ２６＋ｄｆ６２＋ｄｆ６６）＝（２１０ｌｕｘ×４／１６＋１９０ｌｕｘ×４／１６＋２１０ｌｕｘ×４／１６＋１９０ｌｕｘ×４／１６）／（４／１６＋４／１６＋４／１６＋４／１６）＝２００ｌｕｘ（図７Ｃを参照）となる。
【００６３】
赤色の寄与度（Ｒａｖｅｒａｇｅ）、緑色の寄与度（Ｇａｖｅｒａｇｅ）および青色の寄与度（Ｂａｖｅｒａｇｅ）が計算されたら、ターゲット画素の赤色画素性能（ｆＲｉｊ）が、赤色の寄与度（Ｒａｖｅｒａｇｅ）、緑色の寄与度（Ｇａｖｅｒａｇｅ）および青色の寄与度（Ｂａｖｅｒａｇｅ）、ならびにターゲット画素の測定された画素情報（Ｗ）に基づいて計算される。
【００６４】
１実施形態において、ターゲット画素の赤色画素性能（ｆＲｉｊ）は、ｆＲｉｊ＝Ｗ・Ｒａｖｅｒａｇｅ／（Ｒａｖｅｒａｇｅ＋Ｇａｖｅｒａｇｅ＋Ｂａｖｅｒａｇｅ）となる。図５Ａ〜５Ｃにおける測定された情報、ならびに計算された赤色の寄与度（Ｒａｖｅｒａｇｅ）、計算された緑色の寄与度（Ｇａｖｅｒａｇｅ）および計算された青色の寄与度（Ｂａｖｅｒａｇｅ）を用いると、ターゲット画素の赤色画素性能（ｆＲｉｊ）＝８００×２１２．５／（２１２．５＋２３０＋２００）＝２６４．５９となる。
【００６５】
同様に、ターゲット画素の緑色画素性能（ｆＧｉｊ）が、赤色の寄与度（Ｒａｖｅｒａｇｅ）、緑色の寄与度（Ｇａｖｅｒａｇｅ）および青色の寄与度（Ｂａｖｅｒａｇｅ）、ならびにターゲット画素の測定された画素情報（Ｗ）に基づいて計算される。
【００６６】
１実施形態において、ターゲット画素の緑色画素性能（ｆＧｉｊ）は、ｆＧｉｊ＝Ｗ・Ｇａｖｅｒａｇｅ／（Ｒａｖｅｒａｇｅ＋Ｇａｖｅｒａｇｅ＋Ｂａｖｅｒａｇｅ）となる。図５Ａ〜５Ｃにおける測定された情報、ならびに計算された赤色の寄与度（Ｒａｖｅｒａｇｅ）、計算された緑色の寄与度（Ｇａｖｅｒａｇｅ）および計算された青色の寄与度（Ｂａｖｅｒａｇｅ）を用いると、ターゲット画素の緑色画素性能（ｆＧｉｊ）＝８００×２３０／（２１２．５＋２３０＋２００）＝２８６．３８となる。
【００６７】
同様に、ターゲット画素の青色画素性能（ｆＢｉｊ）が、赤色の寄与度（Ｒａｖｅｒａｇｅ）、緑色の寄与度（Ｇａｖｅｒａｇｅ）および青色の寄与度（Ｂａｖｅｒａｇｅ）、ならびにターゲット画素の測定された画素情報（Ｗ）に基づいて計算される。
【００６８】
１実施形態において、ターゲット画素の青色画素性能（ｆＢｉｊ）は、ｆＢｉｊ＝Ｗ・Ｂａｖｅｒａｇｅ／（Ｒａｖｅｒａｇｅ＋Ｇａｖｅｒａｇｅ＋Ｂａｖｅｒａｇｅ）となる。図５Ａ〜５Ｃにおける測定された情報、ならびに計算された赤色の寄与度（Ｒａｖｅｒａｇｅ）、計算された緑色の寄与度（Ｇａｖｅｒａｇｅ）および計算された青色の寄与度（Ｂａｖｅｒａｇｅ）を用いると、ターゲット画素の青色画素性能（ｆＢｉｊ）＝８００×２００／（２１２．５＋２３０＋２００）＝２４９．０３となる。
【００６９】
ターゲット画素の赤色画素性能（ｆＲｉｊ）が得られたら、赤色補正係数（ＴＲ）が、赤色画素性能（ｆＲｉｊ）の赤色の寄与度（Ｒａｖｅｒａｇｅ）に対する比として計算され得る。つまりＴＲ＝ｆＲｉｊ／Ｒａｖｅｒａｇｅとなる。上述の例を用いると、赤色補正係数（ＴＲ）は２６４．５９／２１２．５＝１．２４５である。
【００７０】
同様に、ターゲット画素の緑色画素性能（ｆＧｉｊ）が得られたら、緑色補正係数（ＴＧ）が、緑色画素性能（ｆＧｉｊ）の緑色の寄与度（Ｇａｖｅｒａｇｅ）に対する比として計算され得る。つまりＴＧ＝ｆＧｉｊ／Ｇａｖｅｒａｇｅとなる。上述の例を用いると、緑色補正係数（ＴＧ）は２８６．３８／２３０＝１．２４５である。
【００７１】
同様に、ターゲット画素の青色画素性能（ｆＢｉｊ）が得られたら、青色補正係数（ＴＢ）が、青色画素性能（ｆＢｉｊ）の青色の寄与度（Ｂａｖｅｒａｇｅ）に対する比として計算され得る。つまりＴＢ＝ｆＢｉｊ／Ｂａｖｅｒａｇｅとなる。上述の例を用いると、青色補正係数（ＴＢ）は２４９．０３／２００＝１．２４５である。
【００７２】
赤色補正係数（ＴＲ）が得られたら、赤色補正係数（ＴＲ）を少なくとも２個の赤色画素のそれぞれの測定された赤色画素情報（Ｒｉｊ）に適用することにより、少なくとも２個の赤色画素のそれぞれの補正された画素情報（Ｒｆｉｎａｌ）が得られる。
【００７３】
１実施形態において、補正された画素情報（Ｒｆｉｎａｌ）は、少なくとも２個の赤色画素のそれぞれの測定された赤色画素情報（Ｒｉｊ）と赤色補正係数（ＴＲ）との乗算（multiplication）である。つまり、Ｒｉｊ（ｆｉｎａｌ）＝Ｒｉｊ（ｍｅａｓｕｒｅｄ）×ＴＲである。
【００７４】
図５Ａ〜５Ｃの例を用いると、４個の（４）赤色画素のそれぞれの補正された画素情報（Ｒｆｉｎａｌ）は次のとおりとなる。
【００７５】
Ｒ５４（ｆｉｎａｌ）＝Ｒ５４（ｍｅａｓｕｒｅｄ）×ＴＲ＝２００ｌｕｘ×１．２４５＝２４９  ｌｕｘ、
Ｒ９４（ｆｉｎａｌ）＝Ｒ９４（ｍｅａｓｕｒｅｄ）×ＴＲ＝２２０ｌｕｘ×１．２４５＝２７３．９ｌｕｘ、
Ｒ５８（ｆｉｎａｌ）＝Ｒ５４（ｍｅａｓｕｒｅｄ）×ＴＲ＝２１０ｌｕｘ×１．２４５＝２６１．４５ｌｕｘ、および
Ｒ９８（ｆｉｎａｌ）＝Ｒ５４（ｍｅａｓｕｒｅｄ）×ＴＲ＝２３０ｌｕｘ×１．２４５＝２８６．３５ｌｕｘ。
【００７６】
同様に、緑色補正係数（ＴＧ）が得られたら、緑色補正係数（ＴＧ）を少なくとも２個の緑色画素のそれぞれの測定された画素情報（Ｇｉｊ）に適用することにより、少なくとも２個の緑色画素のそれぞれの補正された画素情報（Ｇｆｉｎａｌ）が得られる。
【００７７】
１実施形態において、補正された画素情報（Ｇｆｉｎａｌ）は、少なくとも２個の緑色画素のそれぞれの測定された画素情報（Ｇｉｊ）と緑色補正係数（ＴＧ）との乗算である。つまり、Ｇｉｊ（ｆｉｎａｌ）＝Ｇｉｊ（ｍｅａｓｕｒｅｄ）×ＴＧとなる。
【００７８】
図５Ａ〜５Ｃの例を用いると、８個の（８）緑色画素のそれぞれの補正された画素情報（Ｇｆｉｎａｌ）は次のとおりとなる。
【００７９】
Ｇ４４（ｆｉｎａｌ）＝Ｇ４４（ｍｅａｓｕｒｅｄ）×ＴＧ＝２３５ｌｕｘ×１．２４５＝２９２．５７５ｌｕｘ、
Ｇ４８（ｆｉｎａｌ）＝Ｇ４８（ｍｅａｓｕｒｅｄ）×ＴＧ＝２３５ｌｕｘ×１．２４５＝２９２．５７５ｌｕｘ、
Ｇ５５（ｆｉｎａｌ）＝Ｇ５５（ｍｅａｓｕｒｅｄ）×ＴＧ＝２３５ｌｕｘ×１．２４５＝２９２．５７５ｌｕｘ、
Ｇ５９（ｆｉｎａｌ）＝Ｇ５９（ｍｅａｓｕｒｅｄ）×ＴＧ＝２３５ｌｕｘ×１．２４５＝２９２．５７５ｌｕｘ、
Ｇ８４（ｆｉｎａｌ）＝Ｇ８４（ｍｅａｓｕｒｅｄ）×ＴＧ＝２３５ｌｕｘ×１．２４５＝２９２．５７５ｌｕｘ、
Ｇ８８（ｆｉｎａｌ）＝Ｇ８８（ｍｅａｓｕｒｅｄ）×ＴＧ＝２１５ｌｕｘ×１．２４５＝２６７．６７５ｌｕｘ、
Ｇ９５（ｆｉｎａｌ）＝Ｇ９５（ｍｅａｓｕｒｅｄ）×ＴＧ＝２３５ｌｕｘ×１．２４５＝２９２．５７５ｌｕｘ、および
Ｇ９９（ｆｉｎａｌ）＝Ｇ９９（ｍｅａｓｕｒｅｄ）×ＴＧ＝２１５ｌｕｘ×１．２４５＝２６７．６７５ｌｕｘ。
【００８０】
同様に、青色補正係数（ＴＢ）が得られたら、青色補正係数（ＴＢ）を少なくとも２個の青色画素のそれぞれの測定された画素情報（Ｂｉｊ）に適用することにより、少なくとも２個の青色画素のそれぞれの補正された画素情報（Ｂｆｉｎａｌ）が得られる。
【００８１】
１実施形態において、補正された画素情報（Ｂｆｉｎａｌ）は、少なくとも２個の青色画素のそれぞれの測定された画素情報（Ｂｉｊ）と青色補正係数（ＴＢ）との乗算である。つまり、Ｂｉｊ（ｆｉｎａｌ）＝Ｂｉｊ（ｍｅａｓｕｒｅｄ）×ＴＢとなる。
【００８２】
図５Ａ〜５Ｃの例を用いると、４個の(４)青色画素のそれぞれの補正された画素情報(Ｂｆｉｎａｌ) は次のとおりとなる。
【００８３】
Ｂ４５（ｆｉｎａｌ）＝Ｂ４５（ｍｅａｓｕｒｅｄ）×ＴＢ＝２１０ｌｕｘ×１．２４５＝２６１．４５ｌｕｘ、
Ｂ４９（ｆｉｎａｌ）＝Ｂ４９（ｍｅａｓｕｒｅｄ）×ＴＢ＝１９０ｌｕｘ×１．２４５＝２３６．５５ｌｕｘ、
Ｂ８５（ｆｉｎａｌ）＝Ｂ８５（ｍｅａｓｕｒｅｄ）×ＴＢ＝２１０ｌｕｘ×１．２４５＝２６１．４５ｌｕｘ、および
Ｂ８９（ｆｉｎａｌ）＝Ｂ８９（ｍｅａｓｕｒｅｄ）×ＴＢ＝１９０ｌｕｘ×１．２４５＝２３６．５５ｌｕｘ。
【００８４】
赤色／緑色／青色補正係数（ＴＲ／ＴＧ／ＴＢ）を、選択されたＭ×Ｍ画素における少なくとも２個の赤色／緑色／青色画素のそれぞれの測定された画素情報（Ｒｉｊ／Ｇｉｊ／Ｂｉｊ）に適用することにより、カラー画素の最終的な画素情報がより正確なものとなる。カラーフィルターアレイにおける白色画素の数の増加のために、この色補正係数は、測定された画素情報を補償することができる。よって、（測定された画素情報を補償することにより）イメージセンサーの画像解像度を犠牲にすることなく、（カラーフィルターアレイにおける白色画素の数を増やすことにより)より高い画像感度を提供することができる。
【００８５】
さらに、７×７距離係数表が示された実施形態において用いられ、かつ７×７画素の領域が、示された実施形態における示された３／４ＷＲＧＢカラーフィルターアレイ中に選択されているが、Ｍ×Ｍ画素が少なくとも２個の赤色画素、少なくとも２個の緑色画素および少なくとも２個の青色画素をカバーできるものでありさえすれば、７×７距離係数表よりも大きいＭ×Ｍ距離係数表、および７×７画素よりも大きいＭ×Ｍ画素の領域を選択することもできる。
【００８６】
また、５／９ＷＲＧＢカラーフィルターアレイでは、５×５画素またはそれより大きい領域が、少なくとも２個の赤色画素、少なくとも２個の緑色画素および少なくとも２個の青色画素をカバーできるものでありさえすれば、５×５またはそれより大きい距離係数表を用いることができ、かつ５×５画素またはそれより大きい領域を選択することができる。６／９ＷＲＧＢカラーフィルターアレイ、７／９ＷＲＧＢカラーフィルターアレイ、または８／９ＷＲＧＢカラーフィルターアレイでは、同じ原則（つまり、Ｍ×Ｍ画素が少なくとも２個の赤色画素、少なくとも２個の緑色画素および少なくとも２個の青色画素をカバーできるものでありさえすれば、Ｍ×Ｍまたはそれより大きい距離係数表およびＭ×Ｍ画素またはそれより大きい領域を選択することができる）を適用する。
【００８７】
本発明を上述のように説明したが、本発明が様々な形に変化し得るということは明らかであろう。このような変化は本発明の精神および範囲からの逸脱と見なされるものではなく、当業者には明らかであるようなかかる変更の全ては、以下の特許請求の範囲に含まれることが意図されている。
【符号の説明】
【００８８】
ＴＰ  ターゲット画素
Ｒ、Ｇ、Ｂ  カラー画素
【図１Ａ】
2014131256.tif 000003
【図１Ｂ】
2014131256.tif 000004
【図２】
2014131256.tif 000005
【図３】
2014131256.tif 000006
【図４】
2014131256.tif 000007
【図５Ａ】
2014131256.tif 000008
【図５Ｂ】
2014131256.tif 000009
【図５Ｃ】
2014131256.tif 000010
【図６Ａ】
2014131256.tif 000011
【図６Ｂ】
2014131256.tif 000012
【図６Ｃ】
2014131256.tif 000013
【図６Ｄ】
2014131256.tif 000014
【図６Ｅ】
2014131256.tif 000015
【図６Ｆ】
2014131256.tif 000016
【図６Ｇ】
2014131256.tif 000017
【図６Ｈ】
2014131256.tif 000018
【図６Ｉ】
2014131256.tif 000019
【図６Ｊ】
2014131256.tif 000020
【図６Ｋ】
2014131256.tif 000021
【図６Ｌ】
2014131256.tif 000022
【図６Ｍ】
2014131256.tif 000023
【図６Ｎ】
2014131256.tif 000024
【図６Ｏ】
2014131256.tif 000025
【図６Ｐ】
2014131256.tif 000026
【図７Ａ】
2014131256.tif 000027
【図７Ｂ】
2014131256.tif 000028
【図７Ｃ】
2014131256.tif 000029